(57)【要約】【課題】  従来より健康に関する器具類は、後進するベルト上を歩行、走行する似類次の器具は一般に市販利用されてあるが足腰の弱いものにとっては、使用が不可能の様に思われて、余り利用されていない。【解決手段】  縦設した手動腕１，１の各下端面部にＬ字状に固着した従動腕２，２を台板の左右端部に各々軸架４，４して各先端部を囲体１１，１１に設けた軸受１３，１３に取付けるとともに、その先端部辺に摺動体８，８に設けた摺動室９，９内を上下に摺動自在なるように駆動板７，７を設けて摺動板８の上面部に設けた両足が、擺動する手動腕１，１に従動して従動腕２，２の上下の摺動室９，９が上下摺動するとともに上下動して、この両足の踏圧度を和らげてその歩行状態の運動を補助することが出来るものである。【特許請求の範囲】
【請求項１】
手動腕１，１に対して、従動腕２，２を、該手動腕１，１の下端部にＬ字状に直角なる様に固着するとともに、これを台座３の各両端部辺に各々軸架４，４して、該台座３の前端部辺に縦設した板体５に、手動腕１，１を軸架４，４部を基点として、斜状にして当接して、その状態時に各従動腕２，２の前端部近くに該従動腕２，２の中線上に臨ませて駆動板７，７を斜状に固着して、該駆動板７，７が、台座３の中央部に固着した囲体１１，１１内に設けた摺動体８を摺動自在に従動腕２，２を内蔵して設けた空動室１７内を各個室１０，１０を上下に摺動して、該摺動室９，９内を上下に摺動して、該摺道室９，９の上面部に載せておいた両足が、手動腕１，１を擺動自在になるように運動すると共にその両足が交互に上下に活動して足の歩行の状態にしてその踏圧度を軽減させて向上を図る様に構成した足膝節部における痛軽減健康機。
【請求項２】
手動腕１，１を左右の各把手１６，１６を握って、前後に擺動運動をすると、各従動腕２，２がともに従動運動をして台座３の中央に設けた摺動体８の各摺動体室９，９の上面部の足置板１４，１４上に載せ置いた両足が該足置板１４，１４の上下摺動に連れて上下に活動して足の踏圧度を軽減するとともにその向上を図り得ることが出来る様に設けた請求項１記載の足膝関節痛における痛軽減健康機。
【発明の詳細な説明】
【技術分野】
【０００１】  本発明は、軽度の足腰の障害者の健康増進を図る向上機具に関する。
【背景技術】
【０００２】  従来より健康に関するための健康増進や健康回復用の機具としては、一般に知られてある後進するベルト上を歩行、走行するものが多くあるようである。【０００３】  これ等は、特に健常者が野外の運動に代って、室内で練習する様に構成された様であり障害者のある者としてあまり利用されていない様である。【０００４】  又、障害者の利用には、上機具はベルト上を低速より高速に設定されてあるが、急ぎ足になるので適当でないように思われる。【０００５】  従って、多くにみられてある機具は健常者の歩行向上に役にたてても、障害者には不適当であると思われるものである。
【発明の概要】
【発明が解決しようとする課題】
【０００６】  以上、述べた従来の健康に関する機具としては、上述のように後進するベルト上を前進歩行の強化に寄与する様に構成されてあるように感ずるものである。【０００７】  従って、経度の足腰に障害のある者においては、又杖に頼って歩行する者によっては、上記の如き一般に知られた機具等は使用困難であり、不適当であると言えるものである。【０００８】  本発明は、この様に従来の構成が有していた諸問題を解決するものであり足腰の障害者で軽度の患者に対して、練習の努力次第では治療の助けとなって健康の向上に好適な、効果的な機具の実現することを目的とするものである。
【課題を解決する手段】
【０００９】  そして本発明は、上記の目的を達成するために、両腕で台架上に左右に設けられてある手動腕を前後交互に擺動することによって、各手動腕に連動されて設けられてある足置板に載置さてある両足が従動腕に従って、上下に従動する両足の踏み圧度が軽減されることになり従って歩行を補助し得ることになって、より健康を向上を図るよう設けたものである。
【００１０】  上記のように、問題解決による作用は、両手の前後の交互に擺動運動によって足台の両足が一体となって従動するので、歩行の前後進の運動を促し得る事が出来るように構成したものである。
【００１１】  上記の様に、第２の問題解決の作用は、杖の代行である手動腕が可動することで、足置体が従動して両足の踏圧度が軽減される効果が得られるのである。
【００１２】  上述の様に本発明は、歩行の少なくとも困難であった者の歩行を効果的に補助出来るので、歩行の軽減を図る健康機具を提供するものである。
【００１３】  而して、歩行する意欲を促し得てさらなる歩行の向上を図り増進行出来ると云う効果を発揮するものである。
【図面の簡単な説明】
【００１４】
【図１】  本発明の実施形態を示す痛軽減健康機の平面図
【図２】  手動腕の側面図
【図３】  足置台の拡大側面図
【発明を実施するための形態】
【００１５】  以下、本発明の実施の形態を図面に基いて説明する。
【００１６】  図において、１，１は手動腕でその下端部に従動腕２，２を直角状になるようにしておのおの固着して、該従動腕２，２を台座３の両端部に各軸架４，４して設ける。
【００１７】  この際手動腕１，１は各軸架４，４部を基点として前後擺動自在なるようにして縦設されるとともに、該手動腕１，１は台座３の前端部に設けられた板体５に腕を一杯に伸ばした状態で立掛けておくことが出来る様にしたものである。
【００１８】  従動腕２，２は台座３の外部方に臨む部分を少しく突設するとともに、該台座３の内方部を臨む部分を台座３の中央部辺におのおの延長して各軸受６に軸着して設ける。
【００１９】  而して図７，７は駆動板で、各従動腕１，１を板体５に縦かけて当接したときに、各従動腕２，２の中心線上位に該駆動板７，７を斜状に臨ませて（約２５℃前後）固着して、各手動腕１，１を前後に往復擺動自在に運動すれば、各駆動板７，７は従動腕２，２に固着した部を基点として上下の擺動自在なる様に固着して形成する。
【００２０】  この際、各駆動板７，７は後述する各摺動体８内に摺動自在に設けられた摺動室９，９内に従動腕２，２を内臓して設けられた各固室１０に内の各駆動板７，７が擺動運動をして、摺動室７，７を摺動自在なるように上記の如く上下摺動を成し行うものとしてさらたものである。
【００２１】  そして図１１は、台座３の中央部辺に設置した囲体１１、１１で、該囲体１１、１１の内部を２枚の分板１２，１２で２室の長形の箱状の上記摺動室９，９を設けるとともに、該摺動室９，９の中空間に後述する軸受１３を設置する。
【００２２】  而して、両足をそれぞれ載せおく足置板１４，１４を上面部に設けた箱体状の足置体１５，１５を上記の各摺動室９，９内を後述する如く上記の従動腕２，２で上下摺動自在なる様に設けたものである
【００２３】  こうして、従動腕２，２は囲体１１，１１及摺動室９，９を貫通して、その各先端部は軸受１３，１３におのおの軸着するとともに、各足置体１５，１５の中央部辺の一部分に上記の駆動板７，７が該足置体１５，１５を上下の摺動運動を行うことによって、各手動腕１，１の前後交互の往復擺運動で従動腕２，２が従運動するとともに、共に駆動板７，７が上下摺動運動するので、足置板１４，１４上の両足は手動腕１，１の交互の往復摺動運動に従って上下の運動をして両足の歩行状態の運動を効果的に行うものである。
【００２４】  以下、上記構成の動作を説明する、先ず図示してないが両足を台座３の中央左右の足置板１４，１４にそれぞれ載置して、両手で左右の手動腕１，１の各把手１６、１６をそれぞれ握って前後に往復摺動運動すると、該手動腕１，１の運動に従って従動腕２，２が、それぞれ従動して、足置体１５，１５が交互に上下動するとともに両足がともに交互にそれぞれ上下動して、足圧度を降下させるので両足はともに和らげられる効果があるのである。
【００２５】  この様に本発明は、両腕で各手動腕１，１を各把手１６、１６で握って交互に前後に手を往復摺動運動すれば、ともに各従動腕２，２が手動腕１，１に従動して従動腕２，２駆動板６，６が各々従動して足置板１４，１４上の両足が交互に従動されて、運動不可、歩行困難な状態であったものを容易に歩行を助けて向上させ得る特徴を有するものである。
【符号の説明】
【００２６】１、１・・・・手動腕
２、２・・・・従動腕
３、３・・・・台座
４、４・・・・軸架
５、・・・・・板体
６、６・・・・軸受
７、７・・・・駆動板
８・・・・・・摺動体
９，９・・・・摺動室
１０，１０・・固室
１１・１１・・囲体
１３，１３・・・軸受
１４，１４・・・足置板
１５・・・・・足置体
１６，１６・・・把手
【図１】
2015173970.tif 000002
【図２】
2015173970.tif 000003
【図３】
2015173970.tif 000004